(57)【要約】フレキシブルレイヤ１（ＦＬＯ）を用いる無線システムにおいてトランスポートフォーマットコンビネーションセット（ＴＦＣＳ）を形成するトランスポートフォーマットコンビネーション（ＴＦＣ）のトランスポートフォーマットコンビネーション識別子（ＴＦＣＩ）を再割り当てする方法および装置。ＴＦＣがＴＦＣＳから削除されると、対応するＴＦＣＩは空の状態となる。その後、前記空のＴＦＣＩが順次するＴＦＣＩを有するＴＦＣに割り当てられる。順次するＴＦＣＩを有するこのようなＴＦＣは、例えば、前記空のＴＦＣＩ（そのＴＦＣＩによる）または直前のＴＦＣＩのいずれかに最も近いＴＦＣである。割り当てフェーズによって可能であれば、ＴＦＣＩのサイズを縮小することができる。【選択図】図４B
2007511152.tif 000002
【特許請求の範囲】
【請求項１】
無線システムのエアインターフェイスを通じてデータを転送するためにフレキシブルレイヤ１を用いた前記無線システムで行われる、少なくとも１つのトランスポートフォーマットコンビネーション（ＴＦＣ）の削除において、複数のトランスポートフォーマットコンビネーションの複数のトランスポートフォーマットコンビネーション識別子（ＴＦＣＩ）を再割り当てする方法であって、データフローを担送するトランスポートチャネルの構成を示す複数のトランスポートフォーマット（ＴＦ）は、トランスポートフォーマットコンビネーションに含まれ、前記トランスポートフォーマットコンビネーションは、特定の基本物理サブチャネル上で有効なトランスポートフォーマットコンビネーションを示すトランスポートフォーマットコンビネーションセット（ＴＦＣＳ）に属し、さらに前記方法は、
関連するトランスポートフォーマットコンビネーションの削除（５０６）によって第１のトランスポートフォーマットコンビネーション識別子が空になることを判断するために、前記トランスポートフォーマットコンビネーションセットから少なくとも１つのトランスポートフォーマットコンビネーションを削除することに関する情報を取得するステップと、
前記削除されたトランスポートフォーマットコンビネーションに順次するトランスポートフォーマットコンビネーション識別子を有する、削除されていないトランスポートフォーマットコンビネーションが次にあれば、それに前記第１の空のトランスポートフォーマットコンビネーション識別子を割り当て、および同様に、削除されていないトランスポートフォーマットコンビネーションがさらにあれば、それに前記第１の空のトランスポートフォーマットコンビネーション識別子に順次するトランスポートフォーマットコンビネーション識別子を割り当てるステップであって、それにより、以前に使用されていた直前の複数のトランスポートフォーマットコンビネーション識別子が空になる（５０８、５１０）ステップと、
空になった前記直前の複数のトランスポートフォーマットコンビネーション識別子が依然として含まれている場合に、特定のトランスポートフォーマットコンビネーション識別子の表示に使用するために必要な追加の長さに応じた量だけ前記トランスポートフォーマットコンビネーション識別子の長さを縮小するステップ（５１４）と、
を含むことを特徴とする再割り当て方法。
【請求項２】
前記削除が許可されないトランスポートフォーマットコンビネーション識別子の削除を考慮するかをさらに確認し、その場合には前記削除またはトランスポートフォーマットコンビネーション識別子の再割り当てのいずれも実施されない（５０５）、請求項１に記載の方法。
【請求項３】
前記トランスポートフォーマットコンビネーションがシグナリングに使用するために保存される、請求項２に記載の方法。
【請求項４】
前記トランスポートフォーマットコンビネーションのトランスポートフォーマットコンビネーション識別子が使用可能な第１の識別子である、請求項３に記載の方法。
【請求項５】
前記無線システムがＧＥＲＡＮ（ＧＳＭ／ＥＤＧＥ無線アクセスネットワーク）を無線アクセスネットワークとして用いる、請求項１に記載の方法。
【請求項６】
無線システムのエアインターフェイスを通じてデータを転送するためにフレキシブルレイヤ１を用いた前記無線システムで行われる、少なくとも１つのトランスポートフォーマットコンビネーション（ＴＦＣ）の削除において、複数のトランスポートフォーマットコンビネーションの複数のトランスポートフォーマットコンビネーション識別子（ＴＦＣＩ）を再割り当てする方法であって、データフローを担送するトランスポートチャネルの構成を示す複数のトランスポートフォーマット（ＴＦ）は、トランスポートフォーマットコンビネーションに含まれ、前記トランスポートフォーマットコンビネーションは、特定の基本物理サブチャネル上で有効なトランスポートフォーマットコンビネーションを示すトランスポートフォーマットコンビネーションセット（ＴＦＣＳ）に属し、さらに前記方法は、
関連するトランスポートフォーマットコンビネーションの削除（５０６）によってトランスポートフォーマットコンビネーション識別子が空になることを判断するために、前記トランスポートフォーマットコンビネーションセットからトランスポートフォーマットコンビネーションを削除することに関する情報を取得するステップと、
前記空のトランスポートフォーマットコンビネーション識別子を、順次するトランスポートフォーマットコンビネーション識別子を有する削除されていないトランスポートフォーマットコンビネーションに割り当てるステップ（５１０）と、
前記割り当てステップ（５１４）によって可能になる場合は、前記複数のトランスポートフォーマットコンビネーション識別子の長さを縮小するステップと、を含むことを特徴とする再割り当てする方法。
【請求項７】
順次するトランスポートフォーマットコンビネーションを有する前記削除されないトランスポートフォーマットコンビネーションが、直前のトランスポートフォーマットコンビネーション識別子を有するものである、請求項６に記載の方法。
【請求項８】
順次するトランスポートフォーマットコンビネーションを有する前記削除されないトランスポートフォーマットコンビネーションが、前記空のトランスポートフォーマットコンビネーション識別子に最も近いトランスポートフォーマットコンビネーションである、請求項６に記載の方法。
【請求項９】
空になった前記直前のトランスポートフォーマットコンビネーション識別子が依然として含まれている場合（５１４）に、特定のトランスポートフォーマットコンビネーション識別子の表示に使用するために必要な追加の長さに応じた量だけトランスポートフォーマットコンビネーション識別子の長さが縮小される、請求項７に記載の方法。
【請求項１０】
無線システムのエアインターフェイスを通じてデータを転送するためにフレキシブルレイヤ１を用いる無線システムにおいて操作可能な装置であって、複数のトランスポートフォーマット（ＴＦ）は、トランスポートフォーマットコンビネーション（ＴＦＣ）に含まれるデータフローを担送するトランスポートチャネルの構成を示すよう構成され、前記トランスポートフォーマットコンビネーションは、特定の基本物理サブチャネル上で有効なトランスポートフォーマットコンビネーションを示すトランスポートフォーマットコンビネーションセット（ＴＦＣＳ）に属するよう構成され、前記セットは、トランスポートフォーマットコンビネーション識別子を有する１つのトランスポートフォーマットコンビネーションを含み、さらに前記装置は、命令およびデータを処理および保存するよう構成された処理手段（６０２）およびメモリ手段（６０４）と、データを転送するよう構成されたデータ転送手段（６０８）とを備え、さらに前記装置は、
関連するトランスポートフォーマットコンビネーションを削除することによって、トランスポートフォーマットコンビネーション識別子が空になることを判断するために、前記トランスポートフォーマットコンビネーションセットから少なくとも１つのトランスポートフォーマットコンビネーションを削除することに関する情報を取得し、
前記空のトランスポートフォーマットコンビネーション識別子を、順次するトランスポートフォーマットコンビネーション識別子を有する削除されていないトランスポートフォーマットコンビネーションに割り当て、
前記割り当てによって可能になった場合は、前記トランスポートフォーマットコンビネーション識別子の長さを縮小する
ように構成される、装置。
【請求項１１】
削除されたトランスポートフォーマットコンビネーションに順次するトランスポートフォーマットコンビネーション識別子を有する、削除されていないトランスポートフォーマットコンビネーション識別子が次にあれば、それに第１の空のトランスポートフォーマットコンビネーション識別子を割り当てることによって、また同様に、削除されていないトランスポートフォーマットコンビネーションがさらにあれば、それに次のトランスポートフォーマットコンビネーション識別子を割り当てることによって、以前に使用されていた直前の複数のトランスポートフォーマットコンビネーション識別子を空にし、
また空になった前記直前の複数のトランスポートフォーマットコンビネーション識別子が依然として含まれている場合に、特定のトランスポートフォーマットコンビネーション識別子の表示に使用するために必要な追加の保存スペースに応じた量だけ前記トランスポートフォーマットコンビネーション識別子の長さを縮小することによって、
前記割り当ておよび縮小機能を実行するようさらに設けられる、請求項１０に記載の装置。
【請求項１２】
順次するトランスポートフォーマットコンビネーション識別子を有する前記削除されていないトランスポートフォーマットコンビネーションが、直前のトランスポートフォーマットコンビネーション識別子を有するものである、請求項１０に記載の装置。
【請求項１３】
順次するトランスポートフォーマットコンビネーション識別子を有する前記削除されていないトランスポートフォーマットコンビネーションが、前記空のトランスポートフォーマットコンビネーション識別子に最も近いトランスポートフォーマットコンビネーションである、請求項１０に記載の装置。
【請求項１４】
前記削除のうち、許可されないトランスポートフォーマットコンビネーションの削除を考慮するかを確認するよう設けられ、その場合にはそのようなトランスポートフォーマットコンビネーションの削除を省略するよう設けられる、請求項１０に記載の装置。
【請求項１５】
実質的に、基地局・基地局コントローラ・基地局および基地局コントローラを組み合わせたもの・または移動局である、請求項１０に記載の装置。
【請求項１６】
ＧＥＲＡＮ（ＧＳＭ／ＥＤＧＥ無線アクセスネットワーク）無線アクセスネットワークで使用可能な、請求項１０に記載の装置。
【請求項１７】
請求項１または６のステップを実行するよう構成された、コンピュータ実行可能プログラム。
【請求項１８】
請求項１７に記載のコンピュータプログラムを担送する担体媒体。
【発明の詳細な説明】
【技術分野】
【０００１】
本発明は概ね通信システムに関する。特に本発明は、ＧＥＲＡＮ（ＧＳＭ／ＥＤＧＥ  Ｒａｄｉｏ  Ａｃｃｅｓｓ  Ｎｅｔｗｏｒｋ）およびそのエアインターフェイスに関し、フレキシブルレイヤ１（ＦＬＯ）と呼ばれる特殊タイプの物理レイヤを用いる。
【背景技術】
【０００２】
ＧＳＭ（移動体通信用グローバルシステム）およびＵＭＴＳ（汎用移動通信システム）のような近代の無線通信システムは、エアインターフェイスを通じて、基地局などのネットワーク要素と移動局（ＭＳ）との間で様々なタイプのデータを伝送することができる。新しいマルチメディアサービスが利用できるようになったことなどにより、転送容量に対する一般需要が持続的に増加しているので、既存のリソースを最大限に活用するために、より効率的な新しい技術が開発されている。
【０００３】
技術報告書、３ＧＰＰ４５．９０２［１］では、ＧＥＲＡＮに対して提案された新規物理レイヤであるフレキシブルレイヤ１（ＦＬＯ）のコンセプトを発表している。このコンセプトの精巧さは、チャネルコーディングおよびインターリービングなどを含む物理レイヤの構成が、呼出し設定まで特定されないという事実に依存する。したがって、各リリースと関連する新しいコーディング構成スキームを別々に特定することなく、新しいサービスのサポートをスムーズに処理することができる。
【０００４】
ＦＬＯのコンセプトの開発作業には、幾分厳しい要件が与えられている。例えば、ＦＬＯは基本物理サブチャネル（ｂａｓｉｃ  ｐｈｙｓｉｃａｌ  ｓｕｂｃｈａｎｎｅｌ）への並列データフローの多重化をサポートし、かつ異なるインターリービング深さのサポートや、不均等なエラーの保護／検出、チャネルコーディングレートを減じたデータの塊、および異なる（８ＰＳＫ、ＧＭＳＫなどの）変調を通じたスペクトル効率の最適化を提供しなければならないことである。さらにこの解決策は、古くならず、かつ無線プロトコルスタックによってもたらされるオーバーヘッドを最小限に抑えなければならない。
【０００５】
ＧＥＲＡＮリリース５に基づいて、ＭＡＣサブレイヤ（ＦＬＯのレイヤ２）は、論理チャネル（トラフィックまたは制御）と３ＧＰＰ  ＴＳ  ４５．００２［２］に導入された基本物理サブチャネルを処理する。
【０００６】
ＵＴＲＡＮ（ＵＭＴＳ無線アクセスネットワーク）では、ＭＡＣが、エアインターフェイスを通じて与えられたＱｏＳ（品質サービス）を有するデータフローを転送するために、いわゆるトランスポートチャネル（ＴｒＣＨ）を使用する。その結果、呼出し設定において構成される複数のトランスポートチャネルを同時にアクティブにすることができ、物理レイヤにおいて多重化することができる。
【０００７】
これで、ＦＬＯの概念を採用することによって、同様に上述のフレキシブルなトランスポートチャネルをＧＥＲＡＮに用いることもできる。したがって、ＧＥＲＡＮの物理レイヤは、１つまたは複数のトランスポートチャネルをＭＡＣサブレイヤに提供することが可能である。それぞれのトランスポートチャネルは、特定の品質サービス（ＱｏＳ）を提供する１つのデータフローを担送することができる。複数のトランスポートチャネルを多重化して、同じ基本物理サブチャネルに同時に送信することができる。
【０００８】
トランスポートチャネルの構成、すなわち入力ビットの数、チャネルコーディング、インターリービングを、トランスポートフォーマット（ＴＦ）で表す。さらに、複数の異なるトランスポートフォーマットを単一のトランスポートチャネルに関連づけることができる。トランスポートフォーマットの構成は、ＲＡＮ（無線アクセスネットワーク）によって完全に制御され、呼出し設定においてＭＳにシグナリングされる。ＴＦの適切な解釈は、受信端において不可欠であり、またトランスポートフォーマットがデータのデコーディングに用いられる構成を定義する。トランスポートフォーマットを設定する場合、ＲＡＮは、例えば複数の所定のＣＲＣ（周期的冗長検査）の長さとブロック長さとの間で選択することができる。
【０００９】
トランスポートチャネル上で、トランスポートブロック（ＴＢ）は、伝送時間間隔（ＴＴＩ）を基準にしてＭＡＣサブレイヤと物理レイヤとの間で交換される。各ＴＴＩに関して、トランスポートフォーマットは、トランスポートフォーマットインジケータ（ＴＦＩＮ）を通じて選択および表示される。すなわち、ＴＦＩＮは、特定のＴＴＩの間に特定のＴｒＣＨ上の特定のトランスポートブロックに対して、どのトランスポートフォーマットを使用するかを判断する。トランスポートチャネルが非アクティブである場合、トランスポートブロックサイズがゼロであるトランスポートフォーマット（空のトランスポートフォーマット）が選択される。
【００１０】
限られた数の異なるトランスポートチャネルのトランスポートフォーマットの組合せだけが取り込まれる。有効な組合せを、トランスポートフォーマットコンビネーション（ＴＦＣ）と呼ぶ。基本物理サブチャネル上の一連の有効なＴＦＣを、トランスポートフォーマットコンビネーションセット（ＴＦＣＳ）と呼ぶ。ＴＦＣＳは、計算トランスポートフォーマットコンビネーション（ＣＴＦＣ）を介してシグナリングされる。
【００１１】
受信シーケンスをデコードするために、受信機は、無線パケットに対するアクティブなＴＦＴを承知している必要がある。この情報は、トランスポートフォーマットコンビネーション識別子（ＴＦＣＩ）フィールドに伝送される。上述のフィールドは、基本的にレイヤ１ヘッダーであり、ＧＳＭにおけるビットスチールと同じ機能を有する。ＴＦＣＳ内の各ＴＦＣには一意のＴＦＣＩ値が割り当てられ、無線パケットを受信すると、この値は受信機がデコードする第１の要素となる。デコードしたＴＦＣＩ値を利用することによって、異なるトランスポートチャネルに対するトランスポートフォーマットを判断することができ、実際のデコーディングを開始できる。
【００１２】
マルチスロットオペレーションの場合には、各基本物理サブチャネルに対して１つのＦＬＯインスタンスがある。各ＦＬＯインスタンスは、レイヤ３によって独立して構成され、結果的に自身のＴＦＣＳを得る。割り当てられた基本物理サブチャネルの数は、ＭＳのマルチスロット機能に依存する。
【００１３】
ＦＬＯは、差し当たり専用チャネルのみに対する使用に制限されるようになり、したがって、ＳＡＣＣＨがＧＥＲＡＮリリース５に基づく独立した論理チャネルとして扱われる２６のマルチフレーム構造を保持する。
【００１４】
例えば、ＦＬＯを通じてコード化した音声を送信するという、非特許文献［１］に示されるトランスポートフォーマットおよびチャネルのコンセプトを図１に視覚的に表す。音声は、異なるビットレートを有する３つの異なるモード、すなわちモード１、モード２、モード３および追加的な快適雑音発生モード、すなわちＣＮＧモードを用いて転送される。モード内では、音声ビットは、例えば、音声の再構成段階において、それぞれの種々の重要性に基づいて、３つのトランスポートチャネル、すなわちＴｒＣＨＡ１０２、ＴｒＣＨＢ１０４、およびＴｒＣＨＣ１０６で表される３つの異なるクラスに分類される。この例では任意であるが、例えば、凡例１０８で示したブロックを参照すると、ブロック内の番号は、トランスポートチャネルおよびコーデックモードの特定の方法において必要なビット数を示す。したがって、図から、ＴｒＣＨＡが４つのトランスポートフォーマット（０、６０、４０、３０）を含み、ＴｒＣＨＢが３つのトランスポートフォーマット（０、２０、４０）を含み、またＴｒＣＨＣは２つのトランスポートフォーマット（０、２０）しか含まないことに気付くであろう。同時にアクティブとなりうる異なるチャネル上のトランスポートフォーマットを示す、得られるトランスポートフォーマットコンビネーション、ＴＦＣ１乃至ＴＦＣ４を図中に点線で示す。これらすべての有効な組み合わせは、ＣＴＦＣを通じてシグナリングされるＴＦＣＳを構成する。ＣＴＦＣの判断例は、適切なＴＦＣの選択に適用可能な技術に加えて、非特許文献［１］に見出される。
【００１５】
Ｉｕモードの場合におけるＦＬＯのプロトコルアーキテクチャを図２に示すが、ＭＡＣレイヤ２０８は、複数の論理チャネルか、または複数のＴＢＦ（一時的ブロックフロー）を、例えばＰＤＣＰ（パケットデータコンバージェンスプロトコル）２０４からデータを受信し、ＲＲＣ（無線リソースコントローラ）２０２によって制御されるＲＬＣレイヤ２０６に割り当てられるＲＬＣエンティティから、物理レイヤ２１０にマップする。仕様書［１］では、論理チャネルを使用するが、将来的にはおそらく一時的なブロックフローのコンセプトと置換されることになろう。ＴＢＦのコンセプトは、非特許文献［３］にさらに詳細に説明されている。専用チャネル（ＤＣＨ）は、アップリンクまたはダウンリンク方向において１つのＭＳ専用のトランスポートチャネルとして使用することができる。３つの異なるＤＣＨ、すなわちＣＤＣＨ（制御プレーンＤＣＨ）、ＵＤＣＨ（ユーザープレーンＤＣＨ）、およびＡＤＣＨ（関連ＤＣＨ）が導入され、そのうちのＣＤＣＨおよびＵＤＣＨはＲＬＣ／ＭＡＣデータ転送ブロックの伝送に使用され、一方で、ＡＤＣＨはＲＬＣ／ＭＡＣ制御ブロックの伝送を対象とする。移動局は、複数のアクティブなトランスポートチャネルを並行して有することができる。
【００１６】
ＦＬＯのアーキテクチャを、特にＦＬＯのレイヤ１に関して、図３に示す。このバージョンでは、１ステップのインターリービング、すなわち、１つの基本物理サブチャネル上のすべてのトランスポートチャネルが同じインターリービング深さを有すると仮定する。２ステップのインターリービングによる別のアーキテクチャは、非特許文献［１］に示されている。基本的なエラー検出は、周期的冗長検査によって行われる。トランスポートブロックは、そのブロックに付与されるチェックサムを計算するために、選択した生成多項式を用いるエラー検出に入力される（３０２）。次に、コードブロックと呼ばれる更新されたブロックが、そこに追加的な冗長性を導入して畳み込みチャネルコーダに送られる（３０４）。レートマッチング（３０６）では、エンコードしたブロックのビットは、反復またはパンクチャされる。ブロックサイズを変化させることができるので、トランスポートチャネル上の複数のビットを対応して変動させることも可能である。その結果、対応するサブチャネルの実際に割り当てられたビットレートに一致する全体のビットレートを保持するために、ビットを反復またはパンクチャしなければならない。レートマッチングブロック（３０６）からの出力を無線フレームと呼ぶ。トランスポートチャネルの多重化（３０８）は、マッチングブロック（３０６）から受信したアクティブなトランスポートチャネル、すなわちＴｒＣＨ（ｉ）乃至ＴｒＣＨ（Ｉ）からＣＣＴｒＣＨ（コード化複合トランスポートチャネル）への無線フレームの多重化を処理する。ＴＦＣＩマッピング（３１０）では、ＣＣＴｒＣＨに対してＴＦＣＩを作成する。ＴＦＣＩのサイズは、必要とされるＴＦＣの数に依存する。ＴＦＣＩサイズは、エアインターフェイスを通じた不必要なオーバーヘッドを避けるために最小限に抑えなければならない。例えば、３ビットのＴＦＣＩは、８の異なるトランスポートフォーマットコンビネーションを示すことができる。これらが充分でない場合、動的な接続の再構成を行う必要がある。ＴＦＣＩは、（ブロック）コード化され、次いでバースト上でＣＣＴｒＣＨ（ＴＦＣＩとともに無線パケットを構成する）によってインターリーブされる（３１２）。選択したインターリービング技術は、呼出し設定において構成される。
【００１７】
ＲＲＣレイヤ、すなわちＦＬＯのレイヤ３は、トラフィックチャネルの設定、再構成、およびリリースを管理する。新しい接続を作成すると、レイヤ３は、物理的なＭＡＣおよびＲＬＣレイヤを構成するために、より低いレイヤに種々のパラメータを示す。パラメータは、トランスポートチャネルアイデンティティ（ＴｒＣＨ  Ｉｄ）および各トランスポートチャネルに対するトランスポートフォーマット、変調パラメータを有するＣＴＦＣを介したトランスポートフォーマットコンビネーションセット、などを含む。さらに、レイヤ３は、ＣＲＣサイズ、レートマッチングパラメータ、トランスポートフォーマットの動的な属性などのような特定のパラメータをトランスポートチャネルに提供する。トランスポートチャネルおよびトランスポートフォーマットコンビネーションセットは、参照文献［４］のセクション７．１４．１および７．１９に詳述される無線ベアラプロシージャなどを用いて、アップリンクおよびダウンリンク方向において別々に設定可能である。
【００１８】
さらに、レイヤ３はトランスポートフォーマットコンビネーションサブセットに関する情報を含み、ＴＦＣＳ内のトランスポートフォーマットコンビネーションの使用をさらに制限する場合がある。そのような情報は、「最小限許容されるトランスポートフォーマットコンビネーションの指標」、「許容されるトランスポートフォーマットコンビネーションのリスト」「許容されないトランスポートフォーマットコンビネーションのリスト」などを介して形成される場合がある。
【００１９】
また明らかに、ＦＬＯにおいて増分ＴＦＣＳ再構成が可能なはずである。例えば、追加、修正、または削除されるトランスポートチャネルまたはＴＦＣＳのみに関する情報を修正無線ベアラシグナリングなどによってシグナリングすることができる。様々な再構成後も全体構成は一定であり、これは、例えば、リリースするトランスポートチャネルを用いるＴＦＣＳからすべてのＴＦＣＳを削除することによって確認することができる。
【００２０】
しかし、特にＴＦＣの削除プロシージャは、データ転送などに関して現時点では十分に最適化されていない。例えば、特定のＴＦＣＩを有する１つのＴＦＣのみがＴＦＣＳから削除される場合、ＴＦＣＩは空のまま残り、他のＴＦＣＩ‐ＴＦＣ割り当ては依然として正常である。パケットにおいてＴＦＣＩを表示するために必要なビット数がＴＦＣＩの総数に応じて１から５ビットの間で直接適応できるため、このような未使用のＴＦＣＩが単一無線パケットにおいて転送されるデータ量を不必要に増加する場合がある。最悪の場合、ＴＦＣＩを既存のＴＦＣに再割り当てするために、例えば、そのＣＴＦＣによってシグナリングされる第１のＴＦＣはＴＦＣＩ＝０に対応するなど、対応する順序でＴＦＣＩに割り当てられる（最高１６ビットの）非常に長いＣＴＦＣを用いることによって、新規のＴＦＣをシグナリングしなければならない。さらに、ＴＦＣの削除は現在のプロシージャで規定することはできない。
【非特許文献１】３ＧＰＰ  ＴＲ  ４５．９０２  Ｖ．６．２．０  Ｔｅｃｈｎｉｃａｌ  Ｓｐｅｃｉｆｉｃａｔｉｏｎ  Ｇｒｏｕｐ  ＧＳＭ／ＥＤＧＥ，  Ｒａｄｉｏ  Ａｃｃｅｓｓ  Ｎｅｔｗｏｒｋ；  Ｆｌｅｘｉｂｌｅ  Ｌａｙｅｒ  Ｏｎｅ  （Ｒｅ１６）
【非特許文献２】３ＧＰＰ  ＴＳ  ４５．００２  Ｖ６．３．０  Ｔｅｃｈｎｉｃａｌ  Ｓｐｅｃｉｆｉｃａｔｉｏｎ  Ｃｒｏｕｐ  ＧＳＭ／ＥＤＧＥ，  Ｒａｄｉｏ  Ａｃｃｅｓｓ  Ｎｅｔｗｏｒｋ；  Ｍｕｌｔｉｐｌｅｘｉｎｇ  ａｎｄ  ｍｕｌｔｉｐｌｅ  ａｃｃｅｓｓ  ｏｎ  ｔｈｅ  ｒａｄｉｏ  ｐａｔｈ  （Ｒｅｌ  ６）
【非特許文献３】３ＧＰＰ  ＴＳ  ４４．１６０  Ｔｅｃｈｎｉｃａｌ  Ｓｐｅｃｉｆｉｃａｔｉｏｎ  Ｇｒｏｕｐ  ＧＳＭ／ＥＤＧＥ，  Ｇｅｎｅｒａｌ  Ｐａｃｋｅｔ  Ｒａｄｉｏ  Ｓｅｒｖｉｃｅ  （ＧＰＲＳ）；  Ｍｏｂｉｌｅ  Ｓｔａｔｉｏｎ  （ＭＳ）  −  Ｂａｓｅ  Ｓｔａｔｉｏｎ  Ｓｙｓｔｅｍ  （ＢＳＳ）  ｉｎｔｅｒｆａｃｅ；  Ｒａｄｉｏ  Ｌｉｎｋ  Ｃｏｎｔｒｏｌ／Ｍｅｄｉｕｍ  Ａｃｃｅｓｓ  Ｃｏｎｔｒｏｌ  （ＲＬＣ／ＭＡＣ）  ｐｒｏｔｏｃｏｌ  Ｉｕ  ｍｏｄｅ  （Ｒｅ１６）
【非特許文献４】３ＧＰＰ  ＴＳ  ４４．１１８  Ｔｅｃｈｎｉｃａｌ  Ｓｐｅｃｉｆｉｃａｔｉｏｎ  Ｇｒｏｕｐ  ＧＳＭ／ＥＤＧＥ，  Ｒａｄｉｏ  Ａｃｃｅｓｓ  Ｎｅｔｗｏｒｋ；  Ｍｏｂｉｌｅ  ｒａｄｉｏ  ｉｎｔｅｒｆａｃｅ  ｌａｙｅｒ  ３  ｓｐｅｃｉｆｉｃａｔｉｏｎ；  Ｒａｄｉｏ  Ｒｅｓｏｕｒｃｅ  Ｃｏｎｔｒｏｌ  （ＲＲＣ）  ｐｒｏｔｏｃｏｌ  Ｉｕ  Ｍｏｄｅ  （Ｒｅｌ  ５）
【発明の開示】
【００２１】
本発明の目的は、ＴＦＣＳからのＴＦＣ削除を最適化することである。この目的は、ＴＣＦＳから１つ以上のＴＦＣを削除した場合に、ＴＦＣＩを残存するＴＦＣに自動的に再割り当てすることによって達成される。しかし、再割り当てにおいては、削除されるＴＦＣＩに先行するＴＦＣＩを触る必要がないため、ＴＦＣとＴＦＣＩの関連性が変わらない場合もある。例えば、１から１０のＴＦＣＩが存在し、ＴＦＣが削除されたために５番目のＴＦＣＩとそれに対応するＴＦＣとの当初のリンクが壊れた場合、ＴＦＣＩ割り当てテーブルを圧縮するために、この５番目のＴＦＣＩと後に続く残りの９番目までのＴＦＣＩが、本来６から１０までのＴＦＣＩと関連するＴＦＣに割り当てられる。さらに、特定のＴＦＣの追加削除を制御することができる。特に、例えば、シグナリング用に保存されたＴＦＣ（例えば、ＴＦＣＩ＝０）の削除を制限して、あらゆる状況において機能的なシグナリング接続を維持することができる。再割り当て後にＴＦＣＩのサイズが縮小すると、自動的にこれが行われる。
【００２２】
上記の再割り当ておよびＴＦＣＩサイズの変更プロシージャは、完全に自動で行うことができる。ＴＦＣ再構成および対応する（例えば、ネットワーク要素／移動局が移動局／ネットワーク要素に送信した）メッセージを受信した際に、受信側はさらに送信側と通信することなくプロシージャを実施することができる。接続の両端がそれをサポートするように、このプロシージャを必須にする場合、いずれにしても同様の論理が適用されるため、ＴＦＣの再割り当てまたはＴＦＣＩサイズの変更を両端間で明確にシグナリングする必要はない。またその代わり、または追加的に、例えば無線ベアラメッセージにおけるパラメータなどのシグナリングを使用して、完全に自動化されたアクションが好まれない場合に、ＴＦＣＩサイズの縮小などを表示することができる。さらに、ルールの変更時、タイミングの変更時などに、再割り当ての追加ルールを接続の両端間で転送してもよい。
【００２３】
本発明の利用は、ＴＦＣＩの総数を一般のニーズに適応させることによって、エアインターフェイス上のオーバーヘッドが多くの場合に縮小され、ＴＦＣの管理が簡易になる。最適なリンクレベルパフォーマンスのためには、ＴＦＣＩに使用するビット数が少ないほど良い。本発明の機構は比較的実装が容易であり、その実装に必要な新しいコードは多くのメモリを必要としない。実際に、短縮可能なＴＦＣＩに基づいて直接保存されるメモリもある。さらに、ＴＦＣの削除要求をチェックおよび制御することによって、少なくともシグナリングデータが適切に転送されることを確認することができる。さらに、シグナリングが第１のＴＦＣＩ（例えば、ＴＦＣＩ＝０）を使用する場合は、ＴＦＣを削除した際に、順次するＴＦＣＩの割り当てに失敗したとしても影響を受けない。
【００２４】
本発明によると、無線システムのエアインターフェイスを通じてデータを転送するためにフレキシブルレイヤ１を用いた前記無線システムで行う少なくとも１つのトランスポートフォーマットコンビネーション（ＴＦＣ）を削除した場合に、トランスポートフォーマットコンビネーションのトランスポートフォーマットコンビネーション識別子（ＴＦＣＩ）を再割り当てする方法であって、データフローを担送するトランスポートチャネルの構成を示す複数のトランスポートフォーマット（ＴＦ）は、トランスポートフォーマットコンビネーションに含まれ、前記トランスポートフォーマットコンビネーションは、特定の基本物理サブチャネル上で有効なトランスポートフォーマットコンビネーションを示すトランスポートフォーマットコンビネーションセット（ＴＦＣＳ）に属する、再割り当て方法が、
関連するトランスポートフォーマットコンビネーションを削除したことによって第１のトランスポートフォーマットコンビネーション識別子が空になることを判断するために、前記トランスポートフォーマットコンビネーションセットから少なくとも１つのトランスポートフォーマットコンビネーションを削除することに関する情報を取得するステップと、
前記第１の空のトランスポートフォーマットコンビネーション識別子を、削除されたトランスポートフォーマットコンビネーションに順次するトランスポートフォーマットコンビネーション識別子を有する次の削除されていないトランスポートフォーマットコンビネーションがあればそれに割り当てるステップと、および同様に、順次するトランスポートフォーマットコンビネーション識別子を、さらに削除されていないトランスポートフォーマットコンビネーションがあればそれに割り当てることにより、以前に使用されていた直前の複数のトランスポートフォーマットコンビネーション識別子を空にするステップと、
前記削除されたトランスポートフォーマットコンビネーションに順次するトランスポートフォーマットコンビネーション識別子を有する、削除されていないトランスポートフォーマットコンビネーションが次にあれば、それに前記第１の空のトランスポートフォーマットコンビネーション識別子を割り当て、および同様に、削除されていないトランスポートフォーマットコンビネーションがさらにあれば、それに前記第１の空のトランスポートフォーマットコンビネーション識別子に続くトランスポートフォーマットコンビネーション識別子を割り当てるステップであって、それにより、以前に使用されていた直前の複数のトランスポートフォーマットコンビネーション識別子が空になるステップと、
空になった前記直前の複数のトランスポートフォーマットコンビネーション識別子が依然として含まれている場合に、特定のトランスポートフォーマットコンビネーション識別子の表示に使用するために必要な追加の長さに応じた量だけトランスポートフォーマットコンビネーション識別子の長さを縮小するステップと、を含むことを特徴とする。
【００２５】
本発明の他の側面では、無線システムのエアインターフェイスを通じてデータを転送するためにフレキシブルレイヤ１を用いた前記無線システムで行う少なくとも１つのトランスポートフォーマットコンビネーション（ＴＦＣ）を削除した場合に、トランスポートフォーマットコンビネーションのトランスポートフォーマットコンビネーション識別子（ＴＦＣＩ）を再割り当てする方法であって、データフローを担送するトランスポートチャネルの構成を示す複数のトランスポートフォーマット（ＴＦ）は、トランスポートフォーマットコンビネーションに含まれ、前記トランスポートフォーマットコンビネーションは、特定の基本物理サブチャネル上で有効なトランスポートフォーマットコンビネーションを示すトランスポートフォーマットコンビネーションセット（ＴＦＣＳ）に属する、再割り当て方法は、
関連するトランスポートフォーマットコンビネーションを削除したことによってトランスポートフォーマットコンビネーション識別子が空になることを判断するために、前記トランスポートフォーマットコンビネーションセットからトランスポートフォーマットコンビネーションを削除することに関する情報を取得するステップと、
前記空のトランスポートフォーマットコンビネーション識別子を、順次するトランスポートフォーマットコンビネーション識別子を有する削除されていないトランスポートフォーマットコンビネーションに割り当てるステップと、
前記割り当てステップによって可能な場合は、前記トランスポートフォーマットコンビネーション識別子の長さを縮小するステップと、を含むことを特徴とする。
【００２６】
本発明のさらに別の側面では、無線システムのエアインターフェイスを通じてデータを転送するためにフレキシブルレイヤ１を用いる前記無線システムで使用可能な装置であって、複数のトランスポートフォーマット（ＴＦ）は、トランスポートフォーマットコンビネーション（ＴＦＣ）に含まれるデータフローを担送するトランスポートチャネルの構成を示すよう構成され、前記トランスポートフォーマットコンビネーションは、特定の基本物理サブチャネル上で有効なトランスポートフォーマットコンビネーションを示すトランスポートフォーマットコンビネーションセット（ＴＦＣＳ）に属するよう構成され、前記セットは、トランスポートフォーマットコンビネーション識別子を有する１つのトランスポートフォーマットコンビネーションを含み、前記装置は、命令およびデータを処理および保存するよう構成された処理手段およびメモリ手段と、データを転送するように構成されたデータ転送手段とを備え、
関連するトランスポートフォーマットコンビネーションを削除することによって、トランスポートフォーマットコンビネーション識別子が空になることを判断するために、前記トランスポートフォーマットコンビネーションセットから少なくとも１つのトランスポートフォーマットコンビネーションを削除することに関する情報を取得し、
前記空のトランスポートフォーマットコンビネーション識別子を、順次するトランスポートフォーマットコンビネーション識別子を有する削除されていないトランスポートフォーマットコンビネーションに割り当て、
前記割り当て工程によって可能な場合はトランスポートフォーマットコンビネーション識別子の長さを縮小するよう設けられることを特徴とする。
【００２７】
「識別子」という用語は、純粋な数値、英字または文字列などの他のタイプの識別子、またはその組み合わせのいずれかを指す。いずれの場合においても、特定の識別子タイプ（例えば、トランスポートフォーマットコンビネーション識別子）に対する実際の識別子値は、それらの特性に基づいて分類することができ、また例えば、後続する（および先行する）識別子を識別子のグループから特定の識別子に定義することもできる。
【００２８】
「空の」ＴＦＣＩという用語は、ここでは特に、いずれのＴＦＣにも関連しないＴＦＣＩを指す。あるいは、依然としてＴＦＣと関連性を有する場合は、ＴＦＣＩが「空」と考慮される場合があるが、ＴＦＣはすでにＴＦＣＳから削除されているか、削除されることになっている。
【００２９】
「順次する」という用語は、一般に順序を指し、特に、注目される項目の後に続く任意の項目を指し、必ずしも隣接する（次の）項目のみを指すとは限らない。
【００３０】
本発明の一実施態様では、移動局がＴＦＣＩを再割り当てする提案方法を活用する。前記移動局は、どの特定のＴＦＣを削除するかに従ってＴＦＣＳ再構成メッセージを受け取る。前記ＴＦＣの削除に加えて、前記移動局はＴＦＣＩを再割り当てし、そのサイズを最小化する。さらに前記移動局は、シグナリングデータの機能的な転送を保証するために、シグナリング用に割り当てられたＴＦＣＩの削除要求を拒否する。
【００３１】
従属請求項は、本発明の実施態様を開示する。
【発明の実施形態の詳細な説明】
【００３２】
以下、本発明を添付の図面を参照することによりさらに詳細に説明する。図１、２、および３については、関連する従来技術の説明とともにすでに説明している。
【００３３】
図４Ａは、一例として、移動局（４０２）が、無線パケットでアップリンク方向のデータを無線アクセスネットワーク（４０４）（例えば、ＧＥＲＡＮ）に送信するために現在のＴＦＣＳを使用し、そのような各パケットが、ＴＦＣＩによってパケットにシグナリングされたＴＦＣである、現在のＴＦＣＳのＴＦＣを構成する特定のトランスポートフォーマットの１つ以上のトランスポートブロック（ＴＢ）を含む、本発明の実施態様のシナリオを説明するシグナリング図を示す。
【００３４】
ネットワーク（４０４）（例えば、その基地局（コントローラ））は、最初にＴＦＣＳ再構成メッセージをターミナル（４０２）に送る。ここで、シグナリング用に当初割り当てられたＴＦＣの削除が要求される。ターミナル（４０２）は、シグナリングＴＦＣの削除を拒否するように構成されているため、前記の要求（４１２）を省略する。またターミナルはネットワーク（４０４）に誤った要求が行われたことを通知する（４０８）。しかしながら、上記のＴＦＣ削除に関する分析および制御はそのような本発明の再割り当てプロシージャに関して必須要素でないことに注意されたい。
【００３５】
次に、ネットワーク（４０４）は、再構成要求（４１０）を送信して合計７つのＴＦＣから３つを削除する。このような削除されるＴＦＣは、ネットワーク状態の変更などによって必ずしも検出されるとは限らない。前記の３つのＴＦＣはいずれも今回のシグナリングと関連しないため、すべて削除され、使用中のＴＦＣＩ（４１４）の間に残ったギャップを埋めるために、ＴＦＣＩが再割り当てされる。削除および再割り当ての後、ターミナル（４０２）は修正されたＴＦＣＩ割り当てに従ってネットワーク（４０４）にアップリンクデータ（４１２）を送信する。
【００３６】
同様のシナリオがさらに図４Ｂにおいて視覚化されている。ここでは、前記の削除または再割り当てに先立つＴＦＣＩの割り当てが図示されている。符号４２０を参照されたい。削除される３つのＴＦＣ（Ｃ、Ｄ、およびＦ）はＴＦＣＩ２、３、および５を有する。この例では、ＴＦＣＩ＝０を有する第１のＴＦＣ（Ａ）がシグナリングに使用するために保存され、決してＴＦＣＳから削除されていないことがわかる。所定の３つのＴＦＣが削除された後、ＴＦＣＩは空のまま残り、シグナリングＴＦＣ（Ａ）用の永久シグナリングＴＦＣＩ０に加えて、ＴＦＣＩ１、４、および６と呼ばれる使用中のＴＦＣ（Ｂ）・（Ｅ）・および（Ｇ）のＴＦＣＩによって囲まれる。そのため、中央にある空のＴＦＣＩは以下の偽コードによって記述される再割り当てアルゴリズムを用いて再割り当てされる。
2007511152.tif 000003
【００３７】
前記アルゴリズムに従って、ＴＦＣＩ１‐６（ＴＦＣＩ値０および任意の他の永久割り当てＴＦＣＩはそのまま残る）は昇順にトラバースされ、空のＴＦＣＩ（例えば、「空」のフラグが設定されている）が検出されると、第１の残りのＴＦＣに割り当てられ、現在割り当てられているＴＦＣＩが再割り当てされるＴＦＣＩより高くなる。フェーズ２は再割り当てされるべきＴＦＣＩまたはＴＦＣがなくなるまで、例えば、すべてのＴＦＣＩ／ＴＦＣの再割り当てが完了するまで繰り返される。その結果、符合４２２で参照されるように、ＴＦＣ  Ｂ、Ｅ、およびＧがそれぞれＴＦＣＩ１、２、および３と関連するようになる。最後に、実際に割り当てられる既存の４つのＴＦＣＩは明確な表示のために２ビットのみを必要とするため、ＴＦＣＩの長さは当初の３ビットから２ビットに自動的に縮小される。
【００３８】
上述の原理は、いずれの特定の伝送方向または装置に制限されない。それらの原理は、アップリンクおよびダウンリンクの両方、および、例えば移動局およびネットワーク要素（例えば、基地局（ＢＳ）、基地局コントローラ（ＢＳＣ）、またはそれらを組み合わせたもの）において使用することが可能である。
【００３９】
図５は、本発明の方法のフロー図を示す。該方法の開示（５０２）において、ネットワークエンティティ（例えば、ＢＳ、ＢＳＣ、またはその組み合わせ）または移動局などの無線通信装置は、例えば、本発明の方法を実行するソフトウェアをメモリにロードして実行を開始する。さらに、必要なメモリ領域を初期化して通信接続を確立することができる。
【００４０】
次に、特定の接続（５０４）を用いて使用される別のネットワークエンティティからＴＦＣＳ再構成メッセージが受け取られる。代わりに、前記エンティティ自体が構成変更の必要性を検出して、少なくとも１つのＴＦＣがＴＦＣＳから削除される新しいＴＦＣＳ構成を作成する場合がある。任意のステップ（５０５）中に、シグナリング用に（永久に）保存されるＴＦＣの削除が必要かを確認する。削除する必要があるが許可されない場合は、前記方法は直ちに終了する（５１６）（およびメッセージの送信により必須エンティティに通知される）。フェーズ（５０６）において、少なくとも削除されたＴＦＣに以前関連していた（現在は空の）第１のＴＦＣＩが判断される。フェーズ（５０８）において、空のＴＦＣＩに最も近い順次するＴＦＣＩを有する次の削除されていないＴＦＣが判断される。すべての場合において順次とは必ずしも近接のものを意味するとは限らないことに注意されたい。例えば、図４Ｂのシナリオでは、直接隣接するＴＦＣＩが存在しないため、ＴＦＣ（Ｃ）および（Ｄ）は、それらのＴＦＣＩに関して隣接していることから、ＴＦＣＩ２が第１の削除されていないＴＦＣに割り当てられ、この場合ＴＦＣ（Ｅ）となる。次に、（ＴＦＣＩに基づいて、）前記の第１の空のＴＦＣＩが、フェーズ（５１０）で決定されたＴＦＣに割り当てられる。フェーズ（５１２）において、解放されたばかりのＴＦＣＩに順次するＴＦＣＩを有する、削除されていないＴＦＣがさらに存在するかを確認する。存在する場合は、以前のステップで割り当てられた第１の空のＴＦＣＩに順次するＴＦＣＩが、そのようなＴＦＣに割り当てられる。その後、第１の（当初）空のＴＦＣＩに順次するＴＦＣＩを有するすべてのＴＦＣが幾つかの先行ＴＦＣＩに関連付けられるまで、ステップ（５１０）および（５１２）を繰り返すことができる。前記割り当ては、意図的に固定されないＴＦＣ／ＴＦＣＩのみに適用することに注意する。前記ＴＦＣＩのサイズは、可能であればフェーズ（５１４）において縮小される。最後に、前記方法はフェーズ（５１６）で終了する。
【００４１】
図６は、ネットワーク要素（または個別の要素の組み合わせ）あるいは本発明に従ってデータの処理および転送が可能な移動局などの装置の基本コンポーネントに対する１つのオプションを表す。「移動局」という表現は、さらに現代の携帯電話を指し、また無線通信が可能なさらに洗練されたマルチメディア端末、携帯およびラップトップコンピュータなどを指す。１つ以上の物理メモリチップに分割されるメモリ（６０４）は、例えばコンピュータプログラム／アプリケーション形式の必須コード（６１６）およびコンフィギュレーション（ＴＦＣＩ／ＴＦＣ）データ（６１２）を含む。処理装置（６０２）は、メモリ（６０４）に保存される命令（６１６）に従った前記方法の実際の実行に必要とされる。ディスプレイ（６０６）およびキーパッド（６１０）は、必要な装置制御およびデータ視覚化手段（ユーザーインターフェイス）を装置のユーザーに提供するためにしばしば有効とされる任意のコンポーネントである。データ転送手段（６０８）、例えば、固定データ転送インターフェイスまたは無線トランシーバ、あるいはその両方は、例えば、他の装置からのコンフィギュレーションデータの受信および／または他の装置へのコンフィギュレーションデータの転送などのデータ交換の処理に必要である。前記提案方法の実行に対するコード（６１６）は、フロッピー（登録商標）、ＣＤまたはメモリカードなどの担体媒体上で保存および配送することができる。
【００４２】
本発明の範囲は、添付の特許請求の範囲内に見出される。しかし、用いた装置、方法のステップ、データ構造などは、現在のシナリオによっては大きく変化することがあるが、それでも本発明の基本的な概念に合致する。例えば、ＴＦＣがＴＦＣＳから削除される場合、第１の順次するＴＦＣＩの代わりに、直前のＴＦＣＩを有する削除されていないＴＦＣに直接割り当ててもよい。単一のＴＦＣＳから複数のＴＦＣが削除される場合は、直前のＴＦＣＩを有するＴＦＣから開始することによって、それぞれ空のＴＦＣＩのみを削除されていないＴＦＣに割り当ててもよい。それによって、第１のリリースされた（空の）ＴＦＣＩと直前のＴＦＣＩとのすべてのＴＦＣＩ関連が変わらない場合がある。代わりに、第１のリリースされたＴＦＣＩから開始するすべてのＴＦＣＩを再割り当てすることができる。しかし、これら２つの解決モデルは、当初のＴＦＣＩ／ＴＦＣ割り当て順序を喪失しているため、すべての環境において好ましいとは言えない。いずれの場合においても、異なる末端で異なる意味を有するＴＦＣＩから生じる深刻な転送問題を回避するため、両端が常に全く同じＴＦＣＩ割り当てプロシージャを適用する必要がある。現在のTFCI（再）割り当て方法の更新情報は、ネットワーク要素と移動局との間で、必要に応じて伝送される。
【図面の簡単な説明】
【００４３】
【図１】ＴＦＣＳの構成を視覚化して説明したものである。
【図２】ＧＥＲＡＮ  ＩｕモードにおけるＦＬＯプロトコルのアーキテクチャを示す。
【図３】ＦＬＯのアーキテクチャを示す。
【図４Ａ】本発明の実施態様のシグナリング図を示す。
【図４Ｂ】本発明の方法の実施前後におけるＴＦＣＩの割り当てを示す。
【図５】本発明の方法の流れ図を説明したものである。
【図６】本発明を用いるように構成した装置のブロック図を説明したものである。
【図１】
2007511152.tif 000004
【図２】
2007511152.tif 000005
【図３】
2007511152.tif 000006
【図４Ａ】
2007511152.tif 000007
【図４Ｂ】
2007511152.tif 000008
【図５】
2007511152.tif 000009
【図６】
2007511152.tif 000010
【国際調査報告】
2007511152.tif 000011
2007511152.tif 000012
2007511152.tif 000013